(57)【特許請求の範囲】
【請求項１】
ネットワーク側に適用され、
発呼端末からのオーディオコール要求を受信するステップと、
今回コールで再生する必要があるビデオメディア情報を取得するステップと、
前記発呼端末に前記ビデオメディアを再生するステップと、を含み、
前記発呼端末からのオーディオコール要求を受信することは、
発呼端末からのコール要求を受信し、前記コール要求にメディア情報を含み、前記メディア情報はオーディオメディア情報であることを含み、
前記発呼端末に前記ビデオメディアを再生することは、
前記発呼端末に第１メッセージを送信して、前記第１メッセージに偽のオーディオメディア情報を含むことと、
前記発呼端末に第２メッセージを送信して、前記第２メッセージに今回コールで再生する必要があるビデオメディア情報を含むことと、
前記発呼端末からの第３メッセージを受信し、前記第３メッセージにメディア情報を含み、前記メディア情報はビデオメディア情報であることと、
前記発呼端末に前記再生する必要があるビデオメディアを再生することと、を含むビデオメディア再生方法。
【請求項２】
前記発呼端末に第１メッセージを送信することは、
発呼端末からのコール要求を受信した後に、直接に発呼端末に第１メッセージを送信すること、或いは、
発呼端末からのコール要求に基づき被呼端末に接続した後に、発呼端末に第１メッセージを送信することを含む請求項１に記載の方法。
【請求項３】
前記今回コールで再生する必要があるビデオメディア情報を取得することは、
発呼番号、被呼番号、現在日期、現在時間の中の１つの又は複数に基づき予め設定されたビデオメディア再生策略をクエリーし、今回コールで再生する必要があるビデオメディア情報を取得することを含む請求項１に記載の方法。
【請求項４】
前記第１メッセージは183メッセージであり、前記第２メッセージは更新UPDATEメッセージであり、前記第３メッセージは更新確認200 OK UPDATEメッセージである請求項１〜３のいずれか一項に記載の方法。
【請求項５】
通話がセットアップされた際に前記ビデオメディアの再生を停止するステップ、及び/又は、発呼端末からの再生停止要求に基づき前記ビデオメディアの再生を停止するステップを更に含む請求項１〜３のいずれか一項に記載の方法。
【請求項６】
端末側に適用され、
ネットワーク側にオーディオコール要求を送信するステップと、
ネットワーク側からのビデオメディアを受信して再生するステップと、を含み、
前記ネットワーク側にオーディオコール要求を送信することは、
ネットワーク側にコール要求を送信して、前記コール要求にメディア情報を含み、前記メディア情報はオーディオメディア情報であることを含み、
前記ネットワーク側からのビデオメディアを受信して再生する前に、
ネットワーク側からの第１メッセージを受信して、前記第１メッセージに偽のオーディオメディア情報を含むステップと、
ネットワーク側からの第２メッセージを受信して、前記第２メッセージに今回コールで再生する必要があるビデオメディア情報を含むステップと、
ネットワーク側に第３メッセージを送信して、前記第３メッセージにメディア情報を含み、前記メディア情報はビデオメディア情報であるステップと、を更に含むビデオメディア再生方法。
【請求項７】
前記第１メッセージは183メッセージであり、前記第２メッセージは更新UPDATEメッセージであり、前記第３メッセージは更新確認200 OK UPDATEメッセージである請求項６に記載の方法。
【請求項８】
ユーザー操作に基づきネットワーク側に再生停止要求を送信するステップを更に含む請求項６に記載の方法。
【請求項９】
端末側は請求項６〜８のいずれか一項に記載の方法によってビデオメディア再生を行うステップと、
ネットワーク側は請求項１〜５のいずれか一項に記載の方法によって端末側がビデオメディア再生を行うように制御するステップと、を含むビデオメディア再生方法。
【請求項１０】
ビデオメディア再生装置であって、
前記ビデオメディア再生装置はネットワーク側に設置され、受信モジュール、取得モジュール及び実行モジュールを含み、
前記受信モジュールは、発呼端末からのオーディオコール要求を受信するように設定され、
前記取得モジュールは、今回コールで再生する必要があるビデオメディア情報を取得するように設定され、
前記実行モジュールは、前記発呼端末に前記ビデオメディアを再生するように設定され、
前記ビデオメディア再生装置は送信モジュールを更に含み、
前記受信モジュールは、発呼端末からのコール要求を受信し、前記コール要求にメディア情報を含み、前記メディア情報はオーディオメディア情報であり、及び前記発呼端末からの第３メッセージを受信して、前記第３メッセージにメディア情報を含み、前記メディア情報はビデオメディア情報であるように設定され、
前記送信モジュールは、受信モジュールが発呼端末からのコール要求を受信した後に、前記発呼端末に第１メッセージを送信して、前記第１メッセージに偽のオーディオメディア情報を含み、前記発呼端末に第２メッセージを送信して、前記第２メッセージに今回コールで再生する必要があるビデオメディア情報を含むように設定され、
前記実行モジュールは、受信モジュールが前記発呼端末からの第３メッセージを受信した後、前記発呼端末に前記再生する必要があるビデオメディアを再生するように設定されるビデオメディア再生装置。
【請求項１１】
前記送信モジュールは、受信モジュールが発呼端末からのコール要求を受信した後に、直接に発呼端末に第１メッセージを送信する、或いは、発呼端末からのコール要求に基づき被呼端末に接続した後に、発呼端末に第１メッセージを送信するように設定される請求項１０に記載の装置。
【請求項１２】
前記取得モジュールは、発呼番号、被呼番号、現在日期、現在時間の中の１つの又は複数に基づき予め設定されたビデオメディア再生策略をクエリーし、今回コールで再生する必要があるビデオメディア情報を取得するように設定される請求項１０に記載の装置。
【請求項１３】
前記送信モジュールが送信した第１メッセージは183メッセージであり、前記第２メッセージは更新UPDATEメッセージであり、
前記受信モジュールが受信した第３メッセージは更新確認200 OK UPDATEメッセージである請求項１０〜１２のいずれか一項に記載の装置。
【請求項１４】
前記実行モジュールは更に、通話がセットアップされた際に前記ビデオメディアの再生を停止するように設定され、或いは、
前記受信モジュールは更に、発呼端末からの再生停止要求を受信するように設定され、
前記実行モジュールは更に、発呼端末からの再生停止要求に基づき前記ビデオメディアの再生を停止するように設定される請求項１０〜１２のいずれか一項に記載の装置。
【請求項１５】
ビデオメディア再生装置であって、
前記ビデオメディア再生装置は端末側に設置され、送信モジュール、実行モジュールを含み、
前記送信モジュールは、ネットワーク側にオーディオコール要求を送信するように設定され、
前記実行モジュールは、ネットワーク側からのビデオメディアを受信して再生するように設定され、
前記ビデオメディア再生装置は受信モジュールを更に含み、
前記送信モジュールは、ネットワーク側にコール要求を送信して、前記コール要求にメディア情報を含み、前記メディア情報はオーディオメディア情報であり、及びネットワーク側からの第２メッセージを受信した後に、ネットワーク側に第３メッセージを送信して、前記第３メッセージにメディア情報を含み、前記メディア情報はビデオメディア情報であるように設定され、
前記受信モジュールは、ネットワーク側からの第１メッセージを受信して、前記第１メッセージに偽のオーディオメディア情報を含み、ネットワーク側からの第２メッセージを受信して、前記第２メッセージに今回コールで再生する必要があるビデオメディア情報を含むように設定されるビデオメディア再生装置。
【請求項１６】
前記受信モジュールが受信した第１メッセージは183メッセージであり、前記第２メッセージは更新UPDATEメッセージであり、
前記送信モジュールが送信した第３メッセージは更新確認200 OK UPDATEメッセージである請求項１５に記載の装置。
【請求項１７】
ユーザーインタラクションモジュールを更に含み、
前記ユーザーインタラクションモジュールは、ユーザー操作の情報を取得するように設定され、
前記送信モジュールは更に、ユーザー操作に基づきネットワーク側に再生停止要求を送信するように設定される請求項１５に記載の装置。
【請求項１８】
ネットワーク側ビデオメディア再生装置及び端末側ビデオメディア再生装置を含み、
ネットワーク側ビデオメディア再生装置は請求項１０〜１４のいずれか一項に記載のビデオメディア再生装置であり、
端末側ビデオメディア再生装置は請求項１５〜１７のいずれか一項に記載のビデオメディア再生装置であるビデオメディア再生システム。
【請求項１９】
コンピュータ実行可能な命令が記憶され、前記コンピュータ実行可能な命令は前記請求項１〜５、請求項６〜８のいずれか一項に記載の方法を実行することに用いられるコンピュータ記憶メディア。
【発明の詳細な説明】
【技術分野】
【０００１】
本発明はマルチメディアサービス分野に関し、特にビデオメディア再生方法、装置及びシステム、コンピュータ記憶メディアに関する。
【背景技術】
【０００２】
マルチメディアカラーリングリングバックトーンサービスは被呼ユーザーによりカスタマイズされ、発呼ユーザーに提供した一段の個性化のオーディオ或いはビデオクリップであり、単調な振動の被呼音を代替するサービスである。GATEWAY方式とは同一のセッションによって初期メディアとコールメディアを伝送し、通話する前に初期メディアを協議することに用いられ、ユーザーがオフフックした後にコールメディアを協議することに用いられる。Early-Session方式とは２つの独立なセッションを確立してそれぞれユーザーに初期メディアとコールメディアを伝送し、ユーザーがオフフックした後に迅速にコールメディアに切り換えることができる。ブロードバンド技術の発展及び第３、４世代の無線通信技術（３Ｇ、４Ｇ）の成熟したアプリケーション、特にビデオ端末の大量使用に伴って、マルチメディアカラーリングリングバックトーンサービスに広い発展空間を提供する。
【０００３】
ビデオ端末はますます普及になるが、ビデオ通話のコストが比較的に高い、及びユーザーの習慣問題に鑑みて、ユーザーはビデオ電話をコールする回数が非常に少ないため、ビデオカラーリングリングバックトーンは良好な普及効果に達することが困難である。
【発明の概要】
【課題を解決するための手段】
【０００４】
これを鑑みて、従来に存在している技術問題を解決するために、本発明の実施例は、
ビデオメディア再生方法を提供して、ネットワーク側に適用され、
発呼端末からのオーディオコール要求を受信するステップ、
今回コールで再生する必要があるビデオメディア情報を取得するステップ、及び
前記発呼端末に前記ビデオメディアを再生するステップ、を含む。
【０００５】
一具体的な実施例において、前記発呼端末からのオーディオコール要求を受信することは、
発呼端末からのコール要求を受信し、前記コール要求にメディア情報を含み、前記メディア情報はオーディオメディア情報であることを含み、
前記発呼端末に前記ビデオメディアを再生することは、
前記発呼端末に第１メッセージを送信して、前記第１メッセージに偽のオーディオメディア情報を含むこと、
前記発呼端末に第２メッセージを送信して、前記第２メッセージに今回コールで再生する必要があるビデオメディア情報を含むこと、
端末からの第３メッセージを受信し、前記第３メッセージにメディア情報を含み、前記メディア情報はビデオメディア情報であること、及び
前記端末に前記再生する必要があるビデオメディアを再生することを含む。
【０００６】
一具体的な実施例において、前記発呼端末に第１メッセージを送信することは、
発呼端末からのコール要求を受信した後に、直接に発呼端末に第１メッセージを送信すること、或いは、
発呼端末からのコール要求に基づき被呼端末に接続した後に、発呼端末に第１メッセージを送信することを含む。
【０００７】
一具体的な実施例において、前記今回コールで再生する必要があるビデオメディア情報を取得することは、
発呼番号、被呼番号、現在日期、現在時間の中の１つの又は複数に基づき予め設定されたビデオメディア再生策略をクエリーし、今回コールで再生する必要があるビデオメディア情報を取得することを含む。
【０００８】
一具体的な実施例において、前記第１メッセージは183メッセージであり、前記第２メッセージは更新UPDATEメッセージであり、前記第３メッセージは更新確認200 OK UPDATEメッセージである。
【０００９】
一具体的な実施例において、該方法は、
通話がセットアップされた際に前記ビデオメディアの再生を停止するステップ、及び/又は、発呼端末からの再生停止要求に基づき前記ビデオメディアの再生を停止するステップを更に含む。
【００１０】
本発明の実施例はビデオメディア再生方法を更に提供し、端末側に適用され、
ネットワーク側にオーディオコール要求を送信するステップ、及び
ネットワーク側からのビデオメディアを受信して再生するステップを含む。
【００１１】
一具体的な実施例において、前記ネットワーク側にオーディオコール要求を送信することは、
ネットワーク側にコール要求を送信して、前記コール要求にメディア情報を含み、前記メディア情報はオーディオメディア情報であることを含み、
前記ネットワーク側からのビデオメディアを受信して再生する前に、該方法は、
ネットワーク側からの第１メッセージを受信して、前記第１メッセージに偽のオーディオメディア情報を含むステップ、
ネットワーク側からの第２メッセージを受信して、前記第２メッセージに今回コールで再生する必要があるビデオメディア情報を含むステップ、及び
ネットワーク側に第３メッセージを送信して、前記第３メッセージにメディア情報を含み、前記メディア情報はビデオメディア情報であるステップを更に含む。
【００１２】
一具体的な実施例において、前記第１メッセージは183メッセージであり、前記第２メッセージは更新UPDATEメッセージであり、前記第３メッセージは更新確認200 OK UPDATEメッセージである。
【００１３】
一具体的な実施例において、該方法は、
ユーザー操作に基づきネットワーク側に再生停止要求を送信するステップを更に含む。
【００１４】
本発明の実施例はビデオメディア再生方法を更に提供し、
端末側は上記の端末側に適用される方法に基づきビデオメディア再生を行うステップ、及び
ネットワーク側は上記のネットワーク側に適用される方法に基づき端末側がビデオメディアの再生を行うように制御するステップを含む。
【００１５】
本発明の実施例はビデオメディア再生装置を更に提供し、ネットワーク側に設置され、受信モジュール、取得モジュール及び実行モジュールを含み、
前記受信モジュールは、発呼端末からのオーディオコール要求を受信するように設定され、
前記取得モジュールは、今回コールで再生する必要があるビデオメディア情報を取得するように設定され、
前記実行モジュールは、前記発呼端末に前記ビデオメディアを再生するように設定される。
【００１６】
一具体的な実施例において、該装置は送信モジュールを更に含み、
前記受信モジュールは、具体的に、発呼端末からのコール要求を受信し、前記コール要求にメディア情報を含み、前記メディア情報はオーディオメディア情報であり、及び端末からの第３メッセージを受信して、前記第３メッセージにメディア情報を含み、前記メディア情報はビデオメディア情報であるように設定され、
前記送信モジュールは、受信モジュールが発呼端末からのコール要求を受信した後に、前記発呼端末に第１メッセージを送信して、前記第１メッセージに偽のオーディオメディア情報を含み、前記発呼端末に第２メッセージを送信して、前記第２メッセージに今回コールで再生する必要があるビデオメディア情報を含むように設定され、
前記実行モジュール、具体的に、受信モジュールが端末からの第３メッセージを受信した後、前記端末に前記再生する必要があるビデオメディアを再生するように設定される。
【００１７】
一具体的な実施例において、前記送信モジュールは、具体的に、受信モジュールが発呼端末からのコール要求を受信した後に、直接に発呼端末に第１メッセージを送信する、或いは、発呼端末からのコール要求に基づき被呼端末に接続した後に、発呼端末に第１メッセージを送信するように設定される。
【００１８】
一具体的な実施例において、前記取得モジュールは、具体的に、発呼番号、被呼番号、現在日期、現在時間の１つの又は複数に基づき予め設定されたビデオメディア再生策略をクエリーし、今回コールで再生する必要があるビデオメディア情報を取得するように設定される。
【００１９】
一具体的な実施例において、前記送信モジュールが送信した第１メッセージは183メッセージであり、前記第２メッセージは更新UPDATEメッセージであり、
前記受信モジュールが受信した第３メッセージは更新確認200 OK UPDATEメッセージである。
【００２０】
一具体的な実施例において、前記実行モジュールは更に、通話がセットアップされた際に前記ビデオメディアの再生を停止するように設定され、或いは、
前記受信モジュールは更に、発呼端末からの再生停止要求を受信するように設定され、
前記実行モジュールは更に、発呼端末からの再生停止要求に基づき前記ビデオメディアの再生を停止するように設定される。
【００２１】
本発明の実施例は更にビデオメディア再生装置を提供して、端末側に設置され、送信モジュール、実行モジュールを含み、
前記送信モジュールは、ネットワーク側にオーディオコール要求を送信するように設定され、
前記実行モジュールは、ネットワーク側からのビデオメディアを受信して再生するように設定される。
【００２２】
一具体的な実施例において、該装置は受信モジュールを更に含み、
前記送信モジュールは、具体的に、ネットワーク側にコール要求を送信して、前記コール要求にメディア情報を含み、前記メディア情報はオーディオメディア情報であり、及びネットワーク側からの第２メッセージを受信した後に、ネットワーク側に第３メッセージを送信して、前記第３メッセージにメディア情報を含み、前記メディア情報はビデオメディア情報であるように設定され、
前記受信モジュールは、ネットワーク側からの第１メッセージを受信して、前記第１メッセージに偽のオーディオメディア情報を含み、ネットワーク側からの第２メッセージを受信して、前記第２メッセージに今回コールで再生する必要があるビデオメディア情報を含むように設定される。
【００２３】
一具体的な実施例において、前記受信モジュールが受信した第１メッセージは183メッセージであり、前記第２メッセージは更新UPDATEメッセージであり、
前記送信モジュールが送信した第３メッセージは更新確認200 OK UPDATEメッセージである。
【００２４】
一具体的な実施例において、該装置はユーザーインタラクションモジュールを更に含み、
前記ユーザーインタラクションモジュールは、ユーザー操作の情報を取得するように設定され、
前記送信モジュールは更に、ユーザー操作に基づきネットワーク側に再生停止要求を送信するように設定される。
【００２５】
本発明の実施例はビデオメディア再生システムを更に提供し、該システムはネットワーク側ビデオメディア再生装置及び端末側ビデオメディア再生装置を含み、
ネットワーク側ビデオメディア再生装置は上記のネットワーク側に設置されるビデオメディア再生装置であり、
端末側ビデオメディア再生装置は上記の端末側に設置されるビデオメディア再生装置である。
【００２６】
本発明の実施例はコンピュータ記憶メディアを更に提供し、コンピュータ実行可能な命令が記憶され、前記コンピュータ実行可能な命令は上記の方法を実行することに用いられる。
【発明の効果】
【００２７】
本発明の実施例によるビデオメディア再生方法、装置及びシステム、コンピュータ記憶メディアは、発呼端末からのオーディオコール要求を受信し、今回コールで再生する必要があるビデオメディア情報を取得し、前記発呼端末に前記ビデオメディアを再生する。本発明の実施例によって、ユーザーは音声電話をコールする際に、ユーザーにビデオカラーリングリングバックトーンを再生することを実現し、それによりビデオカラーリングリングバックトーンの適用範囲を広げる。
【図面の簡単な説明】
【００２８】
【図１】図１は、本発明の実施例によるネットワーク側に適用されるビデオメディア再生方法のフローチャートである。
【図２】図２は、本発明の実施例による端末側に適用されるビデオメディア再生方法のフローチャートである。
【図３】図３は、本発明の実施例によるネットワーク側に設置されるビデオメディア再生装置の構造模式図である。
【図４】図４は、本発明の実施例のさらに他のネットワーク側に設置されるビデオメディア再生装置の構造模式図である。
【図５】図５は、本発明の実施例による端末側に設置されるビデオメディア再生装置の構造模式図である。
【図６】図６は、本発明の実施例のさらに他の端末側に設置されるビデオメディア再生装置の構造模式図である。
【図７】図７は、本発明の実施例のさらに他の端末側に設置されるビデオメディア再生装置の構造模式図である。
【図８】図８は、本発明の実施例１におけるシステムのネットワーキング構造図である。
【図９】図９は、本発明の実施例１におけるコール処理過程のフローチャートである。
【図１０】図１０は、本発明の実施例２に示すgateway方式カラーリングリングバックトーンシステムは被呼側に接続することを担当しない時のコールシグナリングフローチャートである。
【図１１】図１１は、本発明の実施例３に示すgateway方式カラーリングリングバックトーンシステムは被呼側に接続することを担当する時のコールシグナリングを接続することを担当するフローチャートである。
【図１２】図１２は、本発明の実施例４に示すearly-session方式カラーリングリングバックトーンシステムは被呼側に接続することを担当しない時のコールシグナリングフローチャートである。
【図１３】図１３は、本発明の実施例５に示すearly-session方式カラーリングリングバックトーンシステムは被呼側に接続することを担当する時のコールシグナリングフローチャートである。
【発明を実施するための形態】
【００２９】
本発明の様々な実施例において、発呼端末からのオーディオコール要求を受信し、今回コールで再生する必要があるビデオメディア情報を取得し、前記発呼端末に前記ビデオメディアを再生する。
【００３０】
図１は、本発明の実施例によるネットワーク側に適用されるビデオメディア再生方法のフローチャートであり、図１に示すように、該方法は、以下のステップを含む。
ステップ１０１：発呼端末からのオーディオコール要求を受信する。
ステップ１０２：今回コールで再生する必要があるビデオメディア情報を取得する。
ステップ１０３：前記発呼端末に前記ビデオメディアを再生する。
【００３１】
一具体的な実施例において、ステップ１０１の前記発呼端末からのオーディオコール要求を受信することは、
発呼端末からのコール要求を受信し、前記コール要求にメディア情報を含み、前記メディア情報はオーディオメディア情報であることを含み、
ステップ１０３の前記発呼端末に前記ビデオメディアを再生することは、
前記発呼端末に第１メッセージを送信して、前記第１メッセージに偽のオーディオメディア情報を含むこと、
前記発呼端末に第２メッセージを送信して、前記第２メッセージに今回コールで再生する必要があるビデオメディア情報を含むこと、
端末からの第３メッセージを受信し、前記第３メッセージにメディア情報を含み、前記メディア情報はビデオメディア情報であること、及び
前記端末に前記再生する必要があるビデオメディアを再生することを含む。
【００３２】
一具体的な実施例において、前記発呼端末に第１メッセージを送信することは、
発呼端末からのコール要求を受信した後に、直接に発呼端末に第１メッセージを送信すること、或いは、
発呼端末からのコール要求に基づき被呼端末に接続した後に、発呼端末に第１メッセージを送信することを含む。
【００３３】
一具体的な実施例において、前記今回コールで再生する必要があるビデオメディア情報を取得することは、
発呼番号、被呼番号、現在日期、現在時間の中の１つの又は複数に基づき予め設定されたビデオメディア再生策略をクエリーし、今回コールで再生する必要があるビデオメディア情報を取得することを含む。
【００３４】
一具体的な実施例において、前記第１メッセージは183メッセージであり、前記第２メッセージは更新UPDATEメッセージであり、前記第３メッセージは更新確認200 OK UPDATEメッセージである。
【００３５】
一具体的な実施例において、該方法は、
通話がセットアップされた際に前記ビデオメディアの再生を停止するステップ、及び/又は、発呼端末からの再生停止要求に基づき前記ビデオメディアの再生を停止するステップを更に含む。
【００３６】
本発明の実施例は対応的に端末側に適用されるビデオメディア再生方法を更に提供し、図２に示すように、該方法は以下のステップを含む。
ステップ２０１：ネットワーク側にオーディオコール要求を送信する。
ステップ２０２：ネットワーク側からのビデオメディアを受信して再生する。
【００３７】
一具体的な実施例において、ステップ２０１の前記ネットワーク側にオーディオコール要求を送信することは、
ネットワーク側にコール要求を送信して、前記コール要求にメディア情報を含み、前記メディア情報はオーディオメディア情報であることを含み、
ステップ２０２の前記ネットワーク側からのビデオメディアを受信して再生する前に、該方法は、
ネットワーク側からの第１メッセージを受信して、前記第１メッセージに偽のオーディオメディア情報を含むステップ、
ネットワーク側からの第２メッセージを受信して、前記第２メッセージに今回コールで再生する必要があるビデオメディア情報を含むステップ、及び
ネットワーク側に第３メッセージを送信して、前記第３メッセージにメディア情報を含み、前記メディア情報はビデオメディア情報であるステップを更に含む。
【００３８】
一具体的な実施例において、前記第１メッセージは183メッセージであり、前記第２メッセージは更新UPDATEメッセージであり、前記第３メッセージは更新確認200 OK UPDATEメッセージである。
一具体的な実施例において、該方法は、
ユーザー操作に基づきネットワーク側に再生停止要求を送信するステップを更に含む。
【００３９】
本発明の実施例は更に対応的にビデオメディア再生方法を提供し、該方法は、
端末側は上記の端末側に適用されるビデオメディア再生方法に基づきビデオメディア再生を行うステップ、及び
ネットワーク側は上記ネットワーク側に適用されるビデオメディア再生方法に基づき端末側がビデオメディア再生を行うように制御するステップを含む。
【００４０】
本発明の実施例は対応的にネットワーク側に設置されるビデオメディア再生装置を提供し、図３に示すように、該装置は、受信モジュール３１、取得モジュール３２及び実行モジュール３３を含む。
前記受信モジュール３１は、発呼端末からのオーディオコール要求を受信するように設定され、
前記取得モジュール３２は、今回コールで再生する必要があるビデオメディア情報を取得するように設定され、
前記実行モジュール３３は、前記発呼端末に前記ビデオメディアを再生するように設定される。
【００４１】
一具体的な実施例において、図４に示すように、該装置は送信モジュール３４を更に含み、
前記受信モジュール３１は、具体的に、発呼端末からのコール要求を受信し、前記コール要求にメディア情報を含み、前記メディア情報はオーディオメディア情報であり、及び端末からの第３メッセージを受信して、前記第３メッセージにメディア情報を含み、前記メディア情報はビデオメディア情報であるように設定され、
前記送信モジュール３４は、受信モジュールが発呼端末からのコール要求を受信した後に、前記発呼端末に第１メッセージを送信して、前記第１メッセージに偽のオーディオメディア情報を含み、前記発呼端末に第２メッセージを送信して、前記第２メッセージに今回コールで再生する必要があるビデオメディア情報を含むように設定され、
前記実行モジュール３３は、具体的に、受信モジュールが端末からの第３メッセージを受信した後、前記端末に前記再生する必要があるビデオメディアを再生するように設定される。
【００４２】
一具体的な実施例において、前記送信モジュール３４は、具体的に、受信モジュール３１が発呼端末からのコール要求を受信した後に、直接に発呼端末に第１メッセージを送信する、或いは、発呼端末からのコール要求に基づき被呼端末に接続した後に、発呼端末に第１メッセージを送信するように設定される。
【００４３】
一具体的な実施例において、前記取得モジュール３２は、具体的に、発呼番号、被呼番号、現在日期、現在時間の中の１つの又は複数に基づき予め設定されたビデオメディア再生策略をクエリーし、今回コールで再生する必要があるビデオメディア情報を取得するように設定される。
【００４４】
一具体的な実施例において、前記送信モジュール３４が送信した第１メッセージは183メッセージであり、前記第２メッセージは更新UPDATEメッセージであり、
前記受信モジュール３１が受信した第３メッセージは更新確認200 OK UPDATEメッセージである。
【００４５】
一具体的な実施例において、
前記実行モジュール３３は更に、通話がセットアップされた際に前記ビデオメディアの再生を停止するように設定され、或いは、
前記受信モジュール３１は更に、発呼端末からの再生停止要求を受信するように設定され、
前記実行モジュール３３は更に、発呼端末からの再生停止要求に基づき前記ビデオメディアの再生を停止するように設定される。
【００４６】
本発明の実施例は対応的に端末側に設置されるビデオメディア再生装置を提供し、図５に示すように、該装置は、送信モジュール５１、実行モジュール５２を含む。
前記送信モジュール５１は、ネットワーク側にオーディオコール要求を送信するように設定され、
前記実行モジュール５２は、ネットワーク側からのビデオメディアを受信して再生するように設定される。
【００４７】
一具体的な実施例において、図６に示すように、該装置は受信モジュール５３を更に含む。
前記送信モジュール５１は、具体的に、ネットワーク側にコール要求を送信して、前記コール要求にメディア情報を含み、前記メディア情報はオーディオメディア情報であり、及びネットワーク側からの第２メッセージを受信した後に、ネットワーク側に第３メッセージを送信して、前記第３メッセージにメディア情報を含み、前記メディア情報はビデオメディア情報であるように設定され、
前記受信モジュール５３は、ネットワーク側からの第１メッセージを受信して、前記第１メッセージに偽のオーディオメディア情報を含み、ネットワーク側からの第２メッセージを受信して、前記第２メッセージに今回コールで再生する必要があるビデオメディア情報を含むように設定される。
【００４８】
一具体的な実施例において、前記受信モジュール５３が受信した第１メッセージは183メッセージであり、前記第２メッセージは更新UPDATEメッセージであり、
前記送信モジュール５１が送信した第３メッセージは更新確認200 OK UPDATEメッセージである。
【００４９】
一具体的な実施例において、図７に示すように、該装置はユーザーインタラクションモジュール５４を更に含む。
前記ユーザーインタラクションモジュール５４は、ユーザー操作の情報を取得するように設定され、
前記送信モジュール５１は更に、ユーザー操作に基づきネットワーク側に再生停止要求を送信するように設定される。
【００５０】
本発明の実施例は対応的にビデオメディア再生システムを更に提供し、該システムはネットワーク側ビデオメディア再生装置及び端末側ビデオメディア再生装置を含み、
ネットワーク側ビデオメディア再生装置は上記のネットワーク側に設置されるビデオメディア再生装置であり、
端末側ビデオメディア再生装置は上記の端末側に設置されるビデオメディア再生装置である。
【００５１】
なお、本発明の実施例に記載のビデオメディアは音声がないビデオメディアであってもよいし、音声があるビデオメディアであってもよい。
【００５２】
上記実施例はマルチメディアカラーリングリングバックトーンサービス分野に適用でき、具体的に、製品宣伝広告、企業イメージ広告等の各種類の合法な広告をマルチメディアビデオクリップに作ることができ、カラーリングリングバックトーン契約済みユーザーのオーダー、設定使用に供する。ユーザーが喜んだ流行歌曲ＭＶ或いは映画のサウンドトラックであってもよいし。
【００５３】
本発明の実施例は対応的にコンピュータ記憶メディアを提供し、コンピュータ実行可能な命令が記憶され、前記コンピュータ実行可能な命令は上記のいずれかの方法の実施例に記載の方法を実行することに用いられる。
【００５４】
以下、具体的な実施例によって本発明の技術手段を更に詳細的に説明する。
【００５５】
実施例１
本実施例は、ビデオカラーリングリングバックトーンのより大きな使用者面を達成するように、オーディオコールを視聴／聴取するマルチメディアカラーリングリングバックトーンの手段を提供することを目的とする。
【００５６】
図８は、本発明の実施例１におけるシステムのネットワーキング構造図であり、図８に示すように、マルチメディアビデオカラーリングリングバックトーンシステムは主に、ＷＥＢサーバー、メディアサーバー（Media Server、ＭＳ）、マルチメディアカラーリングリングバックトーンサーバー（Multimedia Coloring Ring Application Server）を含む。マルチメディアカラーリングリングバックトーンサーバーはサービスロジックとシグナリング制御を処理することを担当し、メディアサーバーはオーディオビデオカラーリングリングバックトーンの記憶と再生を担当し、ＷＥＢサーバーはユーザーの新規登録、取り消し及び被呼音アップロード、オーダーロジック処理を処理する。
【００５７】
図９は、本発明の実施例１におけるコール処理過程フローチャートであり、図９に示すように、該プロセスは、次のステップを含む。
ステップ９０１：契約済みユーザーはＷＥＢサーバーによってマルチメディアビデオカラーリングリングバックトーンをオーダーする操作を開始する。
【００５８】
ステップ９０２：マルチメディアカラーリングリングバックトーンサービスシステムは発呼側が開始したINVITEメッセージを受信して、メッセージに発呼側のオーディオメディア情報が含まれる。
【００５９】
ステップ９０３：マルチメディアカラーリングリングバックトーンサービスシステムは発呼し、被呼及び時間段情報に基づき今回コールで再生するオーディオビデオカラーリングリングバックトーンサウンドファイル情報を取得する。
【００６０】
ステップ９０４：マルチメディアカラーリングリングバックトーンサービスシステムは183メッセージを回復し、メッセージに偽のオーディオメディア情報を含む。偽のメディア情報は一般的に偽のメディアアドレス或いはinactiveメディアで実現される。
ステップ９０５：マルチメディアカラーリングリングバックトーンサービスシステムはUPDATEメッセージを送信して、メッセージにオーディオビデオメディアを含む。
【００６１】
ステップ９０６：マルチメディアカラーリングリングバックトーンサービスシステムは発呼側が応答した200 OK UPDATEメッセージを受信して、メッセージに発呼側のオーディオビデオメディア情報を含む。
【００６２】
本発明の実施例ではオーディオコールからビデオカラーリングリングバックトーンまでの再生を完成することは主要にステップ９０５、ステップ９０６により完成される。
【００６３】
ステップ９０７：マルチメディアカラーリングリングバックトーンサービスシステムはビデオカラーリングリングバックトーンを再生し始める。
【００６４】
実施例２
図１０は、本発明の実施例２に示すgateway方式カラーリングリングバックトーンシステムは被呼側に接続することを担当しない時のコールシグナリングフローチャートであり、図１０に示すように、具体的なプロセスはステップ１００１〜ステップ１００９を含む。
ステップ１００１：マルチメディアカラーリングリングバックトーンサービスシステムは発呼側のINVITEメッセージを受信して、メッセージに発呼側のオーディオメディア情報を含む。
【００６５】
ステップ１００２：マルチメディアカラーリングリングバックトーンサービスシステムは183メッセージを回復し、メッセージに偽のメディア情報を含む。発呼側は100relをサポートすると、ステップ１００３があり、発呼側はprack要求メッセージを送信し、マルチメディアカラーリングリングバックトーンサービスシステムは200 PRACK応答メッセージを送信し、そうでないと、ステップ１００４を実行する。
【００６６】
ステップ１００４：マルチメディアカラーリングリングバックトーンサービスシステムはUPDATEメッセージを送信し、メッセージにオーディオビデオメディア情報を含む。
ステップ１００５：マルチメディアカラーリングリングバックトーンサービスシステムは200 OK UPDATEメッセージを受信し、メッセージに発呼側のオーディオビデオメディア情報を含む。マルチメディアカラーリングリングバックトーンサービスシステムはビデオカラーリングリングバックトーンを再生し始める。
【００６７】
ステップ１００６〜１００９：マルチメディアカラーリングリングバックトーンサービスシステムはカラーリングリングバックトーンの再生終了要求を受信して、ビデオカラーリングリングバックトーンの再生を停止して、セッションを釈放する。
【００６８】
実施例３
図１１は、本発明の実施例３に示すgateway方式カラーリングリングバックトーンシステムは被呼側に接続することを担当する時のコールシグナリングフローチャートであり、図１１に示すように、具体的なプロセスはステップ１１０１〜ステップ１１３６を含む。
ステップ１１０１〜１１０２：マルチメディアカラーリングリングバックトーンサービスシステムは発呼側のINVITEメッセージを受信して、メッセージに発呼側のオーディオメディア情報（SDP_O）を含む。
【００６９】
ステップ１１０３〜１１０４：マルチメディアカラーリングリングバックトーンサービスシステムは被呼端末を発呼し、メッセージに発呼側のオーディオメディア情報（SDP_O）を含む。
【００７０】
ステップ１１０５〜１１０６：マルチメディアカラーリングリングバックトーンサービスシステムは被呼端末のリンギングの180メッセージを受信している。
【００７１】
ステップ１１０７〜１１０８：マルチメディアカラーリングリングバックトーンサービスシステムは発呼端末にリンギングの180メッセージを送信して、メッセージに偽のメディア情報（SDP_Fake）を含む。発呼側は100relをサポートすると、ステップ１１０９〜ステップ１１１１があり、発呼側はPRACK要求メッセージを送信して、マルチメディアカラーリングリングバックトーンサービスシステムは200 PRACK応答メッセージを送信し、そうでないと、ステップ１１１２〜１１１４を実行する。
【００７２】
ステップ１１１２〜１１１４：マルチメディアカラーリングリングバックトーンサービスシステムはUPDATEメッセージを送信し、メッセージにオーディオビデオメディア情報を含む。
【００７３】
ステップ１１１５〜１１１６：マルチメディアカラーリングリングバックトーンサービスシステムは200 OK UPDATEメッセージを受信し、メッセージに発呼側のオーディオビデオメディア情報(SDP_O2) を含む。マルチメディアカラーリングリングバックトーンサービスシステムはビデオカラーリングリングバックトーンを再生し始める。
【００７４】
ステップ１１１７〜１１１８：マルチメディアカラーリングリングバックトーンサービスシステムは端末が応答した200 OKメッセージを受信し、メッセージに被呼側のメディア情報（SDP_A）を含む。マルチメディアカラーリングリングバックトーンサービスシステムはビデオカラーリングリングバックトーンの再生を停止する。
【００７５】
ステップ１１１９〜１１２０：マルチメディアカラーリングリングバックトーンサービスシステムはUPDATEメッセージを送信し、メッセージに被呼側メディア情報（SDP_A）を含む。
【００７６】
ステップ１１２１〜１１２２：マルチメディアカラーリングリングバックトーンサービスシステムは発呼側の200 OK UPDATEメッセージを受信して、メッセージに発呼側のオーディオビデオメディア情報(SDP_O3) を含む。
【００７７】
ステップ１１２３〜１１２４：マルチメディアカラーリングリングバックトーンサービスシステムは発呼側に200 OK INVITEメッセージを送信する。
【００７８】
ステップ１１２５〜１１２８：マルチメディアカラーリングリングバックトーンサービスシステムは発呼側のACKメッセージを受信する。被呼側にACKメッセージを送信する。
【００７９】
ステップ１１２９〜１１３２：マルチメディアカラーリングリングバックトーンサービスシステムは被呼側が切るBYEメッセージを受信する。被呼側に200 OK BYEメッセージを送信する。
【００８０】
ステップ１１３３〜１１３６：マルチメディアカラーリングリングバックトーンサービスシステムは発呼側にBYEメッセージを送信して、200 OK BYEメッセージを受信する。
【００８１】
実施例４
図１２は、本発明の実施例４に示すearly-session方式カラーリングリングバックトーンシステムは被呼側に接続することを担当しない時のコールシグナリングフローチャートであり、図１２に示すように、具体的なプロセスはステップ１２０１〜ステップ１２０８を含む。
ステップ１２０１：マルチメディアカラーリングリングバックトーンサービスシステムは発呼側のINVITEメッセージを受信し、メッセージに発呼側のオーディオメディア情報を含む。
【００８２】
ステップ１２０２：マルチメディアカラーリングリングバックトーンサービスシステムは183メッセージを回復し、メッセージにおけるsessionに偽のメディア情報を含み、early-sessionにオーディオビデオメディアを含む。
【００８３】
ステップ１２０３〜１２０４：発呼側はPRACK要求メッセージを送信し、メッセージに発呼側オーディオビデオ情報を含むearly-sessionメッセージ本文を含み、マルチメディアカラーリングリングバックトーンサービスシステムは200 PRACK応答メッセージを送信する。マルチメディアカラーリングリングバックトーンサービスシステムはビデオカラーリングリングバックトーンを再生し始める。
【００８４】
ステップ１２０５〜１２０８：マルチメディアカラーリングリングバックトーンサービスシステムはカラーリングリングバックトーンの再生終了要求を受信して、ビデオカラーリングリングバックトーンの再生を停止して、セッションを釈放する。
【００８５】
実施例５
図１３は、本発明の実施例５に示すearly-session方式カラーリングリングバックトーンシステムは被呼側に接続することを担当する時のコールシグナリングフローチャートであり、図１３に示すように、具体的なプロセスはステップ１３０１〜ステップ１３３２を含む。
ステップ１３０１〜１３０２：マルチメディアカラーリングリングバックトーンサービスシステムは発呼側のINVITEメッセージを受信して、メッセージに発呼側のオーディオメディア情
報（SDP_O）を含む。
【００８６】
ステップ１３０３〜１３０４：マルチメディアカラーリングリングバックトーンサービスシステムは被呼端末を発呼し、メッセージに発呼側のオーディオメディア情報（SDP_O）を含む。
【００８７】
ステップ１３０５〜１３０６：マルチメディアカラーリングリングバックトーンサービスシステムは被呼端末のリンギングの180メッセージを受信する。
【００８８】
ステップ１３０７〜１３０８：マルチメディアカラーリングリングバックトーンサービスシステムは発呼端末にリンギングの180メッセージを送信し、メッセージにおけるsessionに偽のメディア情報（SDP_Fake）を含み、early-sessionにカラーリングリングバックトーンのオーディオビデオメディア情報を含む。
【００８９】
ステップ１３０９〜１３１１：発呼側はPRACK要求メッセージを送信して、メッセージに発呼側オーディオビデオ情報を含むearly-sessionメッセージ本文を含み、マルチメディアカラーリングリングバックトーンサービスシステムは200 PRACK応答メッセージを送信する。マルチメディアカラーリングリングバックトーンサービスシステムはビデオカラーリングリングバックトーンを再生し始める。
【００９０】
ステップ１３１３〜１３１４：マルチメディアカラーリングリングバックトーンサービスシステムは端末が応答した200 OKメッセージを受信し、メッセージに被呼側のメディア情報（SDP_A）を含む。マルチメディアカラーリングリングバックトーンサービスシステムはビデオカラーリングリングバックトーンの再生を停止する。
【００９１】
ステップ１３１５〜１３１６：マルチメディアカラーリングリングバックトーンサービスシステムはUPDATEメッセージを送信し、メッセージに被呼側メディア情報（SDP_A）を含む。
【００９２】
ステップ１３１７〜１３１８：マルチメディアカラーリングリングバックトーンサービスシステムは発呼側の200 OK UPDATEメッセージを受信し、メッセージに発呼側のオーディオビデオメディア情報(SDP_O2) を含む。
【００９３】
ステップ１３１９〜１３２０：マルチメディアカラーリングリングバックトーンサービスシステムは発呼側に200 OK INVITEメッセージを送信する。
【００９４】
ステップ１３２１〜１３２４：マルチメディアカラーリングリングバックトーンサービスシステムは発呼側のACKメッセージを受信する。被呼側にACKメッセージを送信する。
【００９５】
ステップ１３２５〜１３２８：マルチメディアカラーリングリングバックトーンサービスシステムは被呼側が切るBYEメッセージを受信する。被呼側に200 OK BYEメッセージを送信する。
【００９６】
ステップ１３２９〜１３３２：マルチメディアカラーリングリングバックトーンサービスシステムは発呼側にBYEメッセージを送信して、200 OK BYEメッセージを受信する。
【００９７】
従来技術と比べて、本発明の実施例によるビデオメディア再生方法、装置及びシステムは、ビデオをサポートして、形式が新規で、情報が豊かで、ユーザー面が広い特徴を有する。且つ、本発明の実施例はベアラネットワークに対して特殊な要求を有さなく、実現上で簡単であり、且つ従来の補充類のサービスと衝突しない。改善支出が大きくなく、企業が製品を販売し及び企業形象を宣伝することを非常に便利にすることができる。
【００９８】
上記各モジュールは電子設備における中央処理装置（Central Processing Unit、ＣＰＵ）、デジタル信号処理器（Digital Signal Processor、ＤＳＰ）又はフィールドプログラマブルゲートアレイ（Field−Programmable Gate Array、ＦＰＧＡ）により実現されることができる。
【００９９】
当業者は、本発明の実施例は方法、システム、又はコンピュータプログラム製品として提供されることができることが分かる。したがって、本発明はハードウェア実施例、ソフトウェア実施例、又はソフトウェアとハードウェアを組み合わせる実施例の形式を採用することができる。且つ、本発明はコンピュータ使用可能なプログラムコードを含む一つ又は複数のコンピュータ使用可能な記憶媒体（磁気ディスク記憶装置と光学式記憶装置等を含むが、これらに制限されない）に実施するコンピュータプログラム製品の形式を採用することができる。
【０１００】
本発明は本発明の実施例による方法、デバイス（システム）、及びコンピュータプログラム製品のプロセス図及び/又はブロック図を参照して説明したものである。コンピュータプログラム命令によりプロセス図及び/又はブロック図における各プロセス及び/又はブロック、及びプロセス図及び/又はブロック図におけるプロセス及び/又はブロックの組み合わせを実現することができることを理解すべきである。これらのコンピュータプログラム命令を汎用コンピュータ、専用コンピュータ、組み込みプロセッサ又はその他のプログラム可能なデータ処理デバイスのプロセッサに提供して１つの機器を生産し、コンピュータ又はその他のプログラム可能なデータ処理デバイスのプロセッサにより実行する命令によって、プロセス図の１つのプロセス又は複数のプロセス及び/又はブロック図の１つのブロック又は複数のブロックに指定された機能を実現する装置を生成する。
【０１０１】
これらのコンピュータプログラム命令もコンピュータ又はその他のプログラム可能なデータ処理デバイスが特定の方式で動作するコンピュータ読み出し可能なメモリに記憶されることもでき、該コンピュータ読み出し可能なメモリに記憶される命令は命令装置を含む製造品を生成させ、該命令装置はプロセス図の１つのプロセス又は複数のプロセス及び/又はブロック図の１つのブロック又は複数のブロックに指定された機能を実現する。
【０１０２】
これらのコンピュータプログラム命令はコンピュータ又はその他のプログラム可能なデータ処理デバイスにロードされることもでき、コンピュータ又はその他のプログラム可能なデバイスに一連の操作ステップを実行してコンピュータが実現する処理を生成し、それによりコンピュータ又はその他のプログラム可能なデバイスに実行する命令はプロセス図の１つのプロセス又は複数のプロセス及び/又はブロック図の１つのブロック又は複数のブロックに指定された機能を実現するためのステップを提供する。
【０１０３】
以上説明したのは、本発明の好ましい実施例だけであり、本発明の保護範囲を限定するものではない。
【図１】
0006359128.tif 000002
【図２】
0006359128.tif 000003
【図３】
0006359128.tif 000004
【図４】
0006359128.tif 000005
【図５】
0006359128.tif 000006
【図６】
0006359128.tif 000007
【図７】
0006359128.tif 000008
【図８】
0006359128.tif 000009
【図９】
0006359128.tif 000010
【図１０】
0006359128.tif 000011
【図１１】
0006359128.tif 000012
【図１２】
0006359128.tif 000013
【図１３】
0006359128.tif 000014